(57)【要約】【課題】宝石を備えたペンダントにおいて、宝石を強調することができるとともに製造コストも抑えることが可能なペンダントを提供すること。【解決手段】宝石を備えたペンダントにおいて、宝石に連結孔（３０２）を形成するとともに、この連結孔（３０２）に連結金具（４）を装着し、この連結金具（４）を介して、前記宝石を、ネックレス、イヤリング、ブレスレッド等のチェーン状に吊着可能にしたことを特徴とし、及び、複数個の宝石を備えたペンダントであって、複数個の宝石（３）と、該複数個の宝石（３）を互いに連結した連結金具（４）とにより構成され、前記連結金具（４）は、前記宝石（３）に形成した連結孔（３０２）に装着したことを特徴としており、これにより、枠体を用いずに宝石を備えることができるため、宝石を強調することができるとともに、枠体の製造に要する手間等をなくして製造コストを抑えることを可能にした。【選択図】図１
2006167218.tif 000002
【特許請求の範囲】
【請求項１】
宝石を備えたペンダントにおいて、宝石に連結孔（３０２）を形成するとともに、この連結孔（３０２）に連結金具（４）を装着し、この連結金具（４）を介して、前記宝石を、ネックレス、イヤリング、ブレスレッド等のチェーン状装身具に吊着可能にしたことを特徴とするペンダント。
【請求項２】
複数個の宝石を備えたペンダントであって、
複数個の宝石（３）と、
該複数個の宝石（３）を互いに連結した連結金具（４）と、により構成されており、前記連結金具（４）は、前記宝石（３）に形成した連結孔（３０２）に装着されていることを特徴とするペンダント。
【請求項３】
前記複数個の宝石（３）中の任意のものについては、３個以上の宝石を連結したことを特徴とする請求項２に記載のペンダント。
【請求項４】
前記宝石がダイヤモンド等の天然石又はキュービックジルコニア等の合成石であることを特徴とする請求項１乃至請求項３に記載のペンダント。
【発明の詳細な説明】
【技術分野】
【０００１】
本発明は、ネックレス、イヤリング、ブレスレット等のチェーン状装身具に吊着される、１又は複数個の宝石を備えたペンダントに係り、より詳しくは、宝石に連結孔を形成し、この連結孔に連結金具を装着し、この連結金具を介して、宝石同士を互いに連結し、あるいは宝石をネックレス、イヤリング、ブレスレット等のチェーンに吊着可能にしたことを特徴とするペンダントに関する。
【背景技術】
【０００２】
一般的に、ネックレス、イヤリング、ブレスレット等のチェーン状装身具にはペンダントを吊着することが多く、このペンダントの中には、宝石を備えたものが存在するが、この宝石を備えるに際しては、従来から、枠体を用いて、この枠体に宝石を装着する方法が採用されている。
【０００３】
ここで、図５は、従来から用いられているペンダント２１の構造を説明するための側断面図であり、図に示すペンダント２１は、３個のダイヤモンド２６を備えたものとしている。
【０００４】
即ち、図におけるペンダント２１では、枠体２２を備えており、この枠体２２は、底部に、任意の形状及び任意の大きさとした孔２３０１を有する略皿状の部材２３と、リング状とした部材２４を、支柱２５によって間隔を置いて二段に配置して構成されており、その内部を宝石の挿入空間２２０１としている。
【０００５】
そして、この枠体２２における挿入空間２２内には、前記リング状部材２４の上端にダイヤモンド２６のパビリオン部の上端部近傍が係止されるような配置において、挿入空間２２０１内にダイヤモンド２６のパビリオン部が挿装されており、更に、このダイヤモンド２６のクラウン部は前記支柱２５の上端部の係止爪部２５０１により押えられており、これにより、枠体２２にダイヤモンド２６を装着してペンダント２１が構成されている。
【発明の開示】
【発明が解決しようとする課題】
【０００６】
ところで、前述の従来のペンダントでは、枠体２２に宝石２６を装着して構成されているとともに、その装着に際しては、枠体２２における支柱２５の上端部の係止爪部２５０１により宝石２６を押えているために、また、一般的に係止爪部は宝石を四方から押えるために、正面から見た場合には、係止爪部２５０１が目立ってしまい宝石２６を強調することが困難になってしまう場合がある。
【０００７】
また、従来のペンダントでは枠体２１を別個に製造しなければならないところ、枠体２１は非常に小さいものであるために、製造に手間がかかるとともにこの枠体２１に宝石を装着する作業も手間がかかり、そのために製造コストが上がってしまい、更にこの製造コストは、宝石の数が増えるごとに上がってしまうという問題点が考えられる。
【０００８】
そこで、本発明は、宝石を備えたペンダントにおいて、宝石を強調することができるとともに、製造コストも抑えることが可能なペンダントを提供することを課題としている。
【課題を解決するための手段】
【０００９】
本発明のペンダントは、宝石を備えたペンダントにおいて、宝石に連結孔を形成するとともにこの連結孔に連結金具を装着し、この連結金具を介して、前記宝石を、ネックレス、イヤリング、ブレスレッド等のチェーン状に吊着可能にしたことを特徴としている。
【００１０】
また、本発明のペンダントは、複数個の宝石を備えたペンダントであって、複数個の宝石と、該複数個の宝石を互いに連結した連結金具と、により構成されており、前記連結金具は、前記宝石に形成した連結孔に装着したことを特徴としている。
【発明の効果】
【００１１】
本発明のペンダントでは、宝石に直接連結孔を形成するとともに、この連結孔に連結金具を装着し、これにより、宝石を、ネックレス、イヤリング、ブレスレット等のチェーン状装身具に吊着可能としており、また、複数個の宝石とこの複数個の宝石を互いに連結した連結金具とにより構成されるとともに、宝石に連結孔を形成して、この連結孔に連結金具を装着し、連結金具を介して複数個の宝石を互いに連結しているために、枠体内に宝石を挿装するとともに係止爪部により宝石の正面側を押さえつける従来の方法と異なり、宝石の正面を強調することが可能となった。
【００１２】
また、枠体を用いないために、それを製造する必要が無くなり、製造に際しての作業効率等をよくして製造コストを抑えることが可能になった。
【発明を実施するための最良の形態】
【００１３】
本発明のペンダントでは、ダイヤモンド等の天然石やキュービックジルコニア等の合成石からなる宝石を備えるとともに、この宝石に連結孔を形成し、この連結孔に連結金具を装着しており、これにより、連結金具を介して、ネックレス、イヤリング、ブレスレット等のチェーン状装身具に宝石を直接吊着可能としている。
【００１４】
また、本発明のペンダントでは、複数個の宝石を連結金具により連結して構成されており、複数個の宝石の連結に際しては、前記複数個の宝石のそれぞれに連結孔を形成し、この連結孔に装着した連結金具によって、前記複数個の宝石を互いに連結している。
【００１５】
ここで、前記複数個の宝石中の任意のものについては、３個以上の連結孔を形成し、これにより、３個以上の宝石を連結するとよく、これにより、宝石の配置のバリエーションを増やすことが可能となる。
【実施例１】
【００１６】
本発明のペンダントの実施例について図面を参照して説明すると、図１は本実施例のペンダントを説明するための正面図であり、図において１が本実施例のペンダントである。また、図において２は、本実施例のペンダント１が吊着された、ネックレス等のチェーン状装身具である。
【００１７】
そして、図に示すように、本実施例のペンダントでは、３個の宝石３を連結した構成としており、本実施例において前記宝石３としては、ダイヤモンドを用いている。
【００１８】
即ち、本実施例のペンダント１においては、３個のダイヤモンド３ａ、３ｂ、３ｃを、この順番で、連結金具としての丸環４により連結するとともに、最上部に位置するダイヤモンド３ａには、丸環４を介してネックレス等のチェーン状装身具２を連結としている。
【００１９】
ここで、図２は、前記ダイヤモンド３の構造を説明するための側断面図であり、本実施例におけるダイヤモンド３は、その周縁部近傍において、クラウン部３０３からパビリオン部３０１までを貫通した小径の貫通孔３０２を２個形成しており、この貫通孔３０２を連結孔としている。そして、図１におけるダイヤモンド３では、前記連結孔３０２の形成位置として、これを、ダイヤモンド３の正面における中心部を通る直線上の両端部近傍としている。
【００２０】
次に、前記連結孔３０２には、連結金具としての丸環４が装着されており、本実施例においては、最上部に位置する丸環４を除いて、１個の丸環４が２個のダイヤモンドの連結孔３０２にそれぞれ装着されており、これによって、１個の丸環４を介して、丸環４の上下にそれぞれ、ダイヤモンド３が互いに連結されている。
【００２１】
このように、本実施例のペンダントでは、ダイヤモンド３に連結孔３０２を形成するとともに、この連結孔３０２に丸環４を装着し、これにより、丸環４によって複数個のダイヤモンド３を連結しているため、枠体を用いる必要が無くなり、そのために、ダイヤモンド３の正面部を強調することが可能であるとともに、枠体を製造する手間が省けるので製造コストを抑えることも可能になる。
【００２２】
なお、図２に示す実施例では、ダイヤモンドの周縁部近傍において、クラウン部３０３からパビリオン部３０１までを貫通して連結孔３０２を形成しているが、連結孔の形成位置は必ずしもこの位置には限定されず、例えば、パビリオン部分を貫通する配置で連結孔を形成してもよく、この場合にはダイヤモンドを連結する丸環４がダイヤモンドの正面側に露出しないようにすることが可能となる。
【００２３】
次に、図３及び図４は本発明のペンダントの他の形態５、６を示す正面図であり、図３及び図４に示す形態においては、複数個のダイヤモンド中の任意のものについては、３個以上の連結孔３０２を形成して、これにより、３個以上の宝石を連結したことを特徴としている。
【００２４】
即ち、図３に示すペンダント５では、最下段に位置するダイヤモンド以外のダイヤモンドについては、下方側には２箇所に連結孔を形成するとともに、このそれぞれの連結孔に丸環４を装着し、これにより、下方側に２個のダイヤモンドを連結しており、これにより、下方に行くにしたがってダイヤモンドの数を増やすことを可能にしている。
【００２５】
また、図４に示すペンダント６では、２段目に配置するダイヤモンドについて、下方側には２箇所に連結孔を形成するとともに、このそれぞれの連結孔に丸環４を装着し、これにより、３段目以下のダイヤモンドを縦２列に配列している。
【００２６】
したがって、これらの形態のペンダント５、６では、図１に示すペンダントのように複数個のダイヤモンドを縦に１列に連結しているペンダントと異なり、ペンダント全体を豪華にすることが可能である。
【００２７】
なお、本発明のペンダントでは、ダイヤモンド等の宝石に直接連結孔を形成するとともにこの連結孔に丸環等の連結金具を装着し、これにより枠体を用いずにペンダントを構成可能にしたことを特徴としており、ダイヤモンドの数および配置は前述の形態には限定されない。従って、備えるダイヤモンドを１個のみにして、即ち、ダイヤモンドの上部側に１個の連結孔を形成するとともに、この連結孔に丸環等の連結金具を装着し、この連結金具をネックレス等のチェーン等に吊着可能としてもよく、また、１個のダイヤモンドの下方側に３個以上のダイヤモンドを連結してもよい。
【００２８】
更に、宝石としては必ずしもダイヤモンドを用いる必要もなく、その他の宝石を用いてもよい。即ち、装身具に用いる宝石には、ダイヤモンド等の天然石やキュービックジルコニア等の合成石、更にはその他の石が存在するが、本発明に用いる宝石としては、装身具に用いる可能性があるすべての石が含まれ、その石の形状もまた特に限定されない。
【００２９】
更にまた、図３及び図４に示す形態においても、図１に示す形態のペンダントと同様に、クラウン部からパビリオン部までを貫通して連結孔を形成する必要はなく、パビリオン部分を貫通する配置で連結孔を形成してもよい。
【産業上の利用可能性】
【００３０】
本発明のペンダントは、宝石を備えたペンダントにおいて、宝石に連結孔を形成して、この連結孔に装着した連結金具を介して、枠体を用いずに互いの宝石を直接連結したことを特徴としているため、宝石を備えた装身具の全般に適用可能である。
【図面の簡単な説明】
【００３１】
【図１】本発明のペンダントの実施例を説明するための正面図である。
【図２】本発明のペンダントの実施例に用いるダイヤモンドの構造を説明するための側断面図である。
【図３】本発明のペンダントの他の形態を説明するための正面図である。
【図４】本発明のペンダントの他の形態を説明するための正面図である。
【図５】従来の宝石を備えたダイヤモンドの構造を説明するための側断面図である。
【符号の説明】
【００３２】
１、５、６    ペンダント
２    チェーン
３ａ、３ｂ、３ｃ    ダイヤモンド
３０１    ダイヤモンドのパビリオン部
３０２    ダイヤモンドに形成した連結孔
３０３    ダイヤモンドのクラウン部
４    連結金具（丸環）
【図１】
2006167218.tif 000003
【図２】
2006167218.tif 000004
【図３】
2006167218.tif 000005
【図４】
2006167218.tif 000006
【図５】
2006167218.tif 000007